(57)【特許請求の範囲】
【請求項１】
連続台紙に一定間隔で間欠状にシート片を貼りつける見開きハガキ用シート片貼付け装置であって、シート片用ウェブ供給部とウェブテンション調整部と、シートカット胴と、サクションドラムと、圧着ロールとからなり、前記シート片は連続したシート片用ウェブから前記シートカット胴において切断されて形成されたものであり、前記ウェブテンション調整部は前記ウェブの供給経路中に複数の折返しローラーを配置し、前記複数の折返しローラーのうちの少なくとも１つを変位可能とし、前記変位によって前記シート片用ウェブに作用するテンションの変動を吸収するように構成し、前記シート片用ウェブの供給経路中に前記サクションドラムと前記シートカット胴を配置し、前記シート片一単位分のシートカットは前記サクションドラムに吸引された部分の前記シート片用ウェブを前記シートカット胴により行い、前記シートカットされたシート片を前記サクションドラムに引き続き吸着保持して回転し連続用紙のシート片貼付位置が直下に来たときにエアー吐出によりシート片の吸着を解除して連続台紙上に載置し、その後、前記圧着ロールにより前記連続台紙上に貼合せるように構成されたことを特徴とする見開きハガキ用シート片貼付け装置。
【請求項２】
前記シート片が疑似接着シート片である請求項１記載の見開きハガキ用シート片貼付け装置。
【請求項３】
前記連続台紙がハガキ台紙である請求項１記載の見開きハガキ用シート片貼付け装置。
【請求項４】
連続台紙に一定間隔で間欠状にシート片を貼りつけるシート片貼付け方法であって、シート片用ウェブ供給部とウェブテンション調整部と、シートカット胴と、サクションドラムと、圧着ロールとを使用し、前記シート片は連続したシート片用ウェブから前記シートカット胴において切断されて形成され、前記ウェブテンション調整部は前記ウェブの供給経路中に複数の折返しローラーを配置し、前記複数の折返しローラーのうちの少なくとも１つを変位可能とし、前記変位によって前記シート片用ウェブに作用するテンションの変動を吸収し、前記サクションドラムは供給されてきたシート片用ウェブの先端を吸引して保持し、この状態で前記シートカット胴に設けられたカッターでシートカットし、形成されたシート片を引き続き保持し、シート片が定位置に来たときにエアー吐出しによりシート片の吸着を解除して連続台紙上に載置し、その後、前記圧着ロールにより前記連続台紙上に貼合せることを特徴とする見開きハガキ用シート片貼付け方法。
【発明の詳細な説明】
【０００１】
【産業上の利用分野】
この発明は、連続用紙を用いて台紙の一方の面にフィルム、シール、シールラベル、秘密情報隠蔽シートなどのシート片を貼付ける場合に使用するシート片貼付け装置に関するものである。
【０００２】
【従来の技術】
従来のシート片貼付け装置としては、連続台紙に対し連続した透明フィルムを供給して情報を被覆・保護するラミネーターや、台紙上の全面に接着剤又は粘着剤或いは糊等を塗布して連続した透明フィルムや隠蔽シートを接着する形式の装置はあったが、前者はラミネーターとして樹脂原料を加熱装置で溶解させて、台紙上に均一な厚さの膜を形成する必要があるので精密な膜厚検査装置や膜厚調整装置が必要となるので、高機能の大型装置となって複雑かつ高価であった。
【０００３】
後者は台紙面から接着剤、粘着剤および剥離剤などの一部がこぼれたり、裏面に回って付着してブロッキングの原因となるなどの問題があった。
【０００４】
又、強い圧力では貼着するが弱い圧力では貼着しない感圧接着剤を用いて、強い圧力をかけて台紙とシート片を貼付ける装置はあったが、強圧によるしわや傷を発生するという問題点があった。
【０００５】
又、シート片が最初から各シート単位に分離されている場合には、連続台紙に対し単体のシート片を定位置に正確に供給して位置決めすることが要求されるが、単体のシート片の定位置への供給及び台紙とシート片との位置決めは両者とも複雑な機構がないと難しいため、シート片と台紙との間で見当ずれを発生し易いので、単体のシート片を連続台紙上の指定箇所に正確に貼付けることは困難であった。
【０００６】
以上のように、連続台紙上の指定位置に、必要な大きさのシート片を見当精度良く供給して高品質の見開きハガキを作る装置はなかった。
【０００７】
【発明が解決しようとする課題】
本発明で取扱いの対象とする見開きハガキ１０１は、図５から図８に示すように、台紙に連続用紙を用いて折り目１０２を境にして下紙片１０３と上紙片１０４が折り重ね合わされて接着され、あたかも１枚のハガキのように構成するものであり、関連する他の構成として連続用紙を折り目部から切り離して、下紙片１０３上に図９に示すシート片３４を重ね、その上に上紙片１０４をのせて接着したものである。
【０００８】
その際、秘密情報は下紙片１０３上もしくは上紙片１０４の裏面に設けられた秘密情報記載欄１０５に印字されており、この秘密情報を隠蔽するために隠蔽用シート片３４によって被覆される。隠蔽用シート片３４は単層の他に図１０に示すように複層型のものもある。
【０００９】
この見開きハガキの受領者は、見開きハガキの表面の一部に設けられたミシン目部分又はつまみ片或いは非接着部など指定された開封位置から上紙片を剥がすことにより秘密情報を読むことができる。
【００１０】
しかるに、この隠蔽用シート片の貼付け工程においては、見開きハガキは全数連続した状態であるのに対し、隠蔽用シートはカットシートの状態またはウェブの状態で供給されるが、貼付け位置においては個々の隠蔽用シート片の形状に切断されて見開きハガキの表面の特定の位置にある秘密情報隠蔽欄に貼付けられる。
【００１１】
このように、隠蔽用シート片の貼付けは、シートカット時の停止と定寸送りを交互に繰り返す形で間欠的に回転駆動されるため、貼付け装置に供給されるシートカット前のシート片用ウェブのテンションは不安定となり、テンション過剰  （張りすぎ）やテンション不足（弛み）を招くので、隠蔽用シート片の切断不良、接着不良、しわの発生、傷等の発生の原因となっていた。
【００１２】
このようなことから、上記の各種のトラブルを克服して、精度の高い貼着を行うことができるシート片貼付け装置の開発が望まれていた。
【００１３】
この発明は上記のような事情に鑑みて成されたものであって、隠蔽用シート片を定位置に正確に貼りつけることができ、シート片や台紙にしわや傷が発生することなく、更にシートカット不良を生じることなく、汚れや裏回りなど接着剤等や糊が指定箇所以外に付着することのない良好な接着を行うことができる見開きハガキ用シート片貼付け装置を提供することを目的とする。
【００１４】
【課題を解決するための手段】
本発明でいう見開きハガキとは、２つ折又は３つ折、更には４つ折などの帳票からなる連続帳票形式のハガキ台紙の一部に秘密情報を印字しておき、紙片の折重なる部分に秘密情報隠蔽用シートを挟み込んで接着し、接着力の弱い部分を設けておき、その部分から紙片を剥がすと秘密情報の上に透明なフィルムを残して紙片だけが剥離されるので、郵送中から開封までの秘密確保と郵便料金がハガキ代で済むことによる費用節約効果をもつ秘密情報隠蔽ハガキの一種である。
【００１５】
特に、秘密情報隠蔽用シートは、フィルムの表裏両面に感熱接着剤を塗布してあり、連続台紙に貼付された後、折重ね、シートカットされて各単位の葉書の形状に作製した後、圧着ローラで加熱加圧して接着することにより秘密情報隠蔽ハガキとして完成させるためのシートである。
【００１６】
前記秘密情報隠蔽用シートは、秘密情報隠蔽ハガキが郵送された後、受領者が上紙片を剥がして秘密情報を見る必要があるため、剥す方の紙片と接する面は紙片に対し疑似接着させておく必要があり、紙片と接着する面、即ち、秘密情報上を被覆する透明フィルムは紙片に対し完全接着させる必要がある。
【００１７】
上記疑似接着とは、隠蔽シートに対し剥離力を作用させると容易に剥がれるが、特に力を加えない場合は十分な接着力を擁している程度に接着されている状態で、感熱接着剤上に剥離剤を混入又は塗布したもの、粘着剤を使用するもの、更にはフィルムを２層重ねて両フィルム材の融点より少し低い温度で加熱接着させたものなどを含むものである。特に２層重ねた場合は、上層側を不透明にすることができ、隠蔽力が高まるので一層好適である。
【００１８】
このような見開きハガキを製造するため、見開きハガキの総数に相当する長さをもつ連続台紙のそれぞれの秘密情報記載欄に印字装置によって秘密情報を印字した後、シート片貼付け装置で下紙片表面の秘密情報記載欄に隠蔽用シート片を貼付けて秘密情報を隠蔽し、次に連続用紙の上紙片を中央から折り重ね、連続用紙を見開きハガキの一単位に切断し、加熱ロールを通して感熱接着剤を溶融させ、下紙片とシート片及び上紙片を密着させて秘密情報隠蔽ハガキとして完成させるものである。
【００１９】
この目的に対応して、この発明の見開きハガキ用シート片貼付け装置は、連続台紙に一定間隔で間欠状にシート片を貼りつける見開きハガキ用シート片貼付け装置であって、シート片用ウェブ供給部とウェブテンション調整部と、シートカット胴と、サクションドラムと、圧着ロールとからなり、前記シート片は連続したシート片用ウェブから前記シートカット胴において切断されて形成されたものであり、前記ウェブテンション調整部は前記ウェブの供給経路中に複数の折返しローラーを配置し、前記複数の折返しローラーのうちの少なくとも１つを変位可能とし、前記変位によって前記シート片用ウェブに作用するテンションの変動を吸収するように構成し、前記シート片用ウェブの供給経路中に前記サクションドラムと前記シートカット胴を配置し、前記シート片一単位分のシートカットは前記サクションドラムに吸引された部分の前記シート片用ウェブを前記シートカット胴により行い、前記シートカットされたシート片を前記サクションドラムに引き続き吸着保持して回転し連続用紙のシート片貼付位置が直下に来たときにエアー吐出によりシート片の吸着を解除して連続台紙上に載置し、その後、前記圧着ロールにより前記連続台紙上に貼合せるように構成されたことを特徴としている。
またこの発明の見開きハガキ用シート片貼付け方法は、連続台紙に一定間隔で間欠状にシート片を貼りつけるシート片貼付け方法であって、シート片用ウェブ供給部とウェブテンション調整部と、シートカット胴と、サクションドラムと、圧着ロールとを使用し、前記シート片は連続したシート片用ウェブから前記シートカット胴において切断されて形成され、前記ウェブテンション調整部は前記ウェブの供給経路中に複数の折返しローラーを配置し、前記複数の折返しローラーのうちの少なくとも１つを変位可能とし、前記変位によって前記シート片用ウェブに作用するテンションの変動を吸収し、前記サクションドラムは供給されてきたシート片用ウェブの先端を吸引して保持し、この状態で前記シートカット胴に設けられたカッターでシートカットし、形成されたシート片を引き続き保持し、シート片が定位置に来たときにエアー吐出しによりシート片の吸着を解除して連続台紙上に載置し、その後、前記圧着ロールにより前記連続台紙上に貼合せることを特徴としている。
【００２０】
【作用】
シート片貼付け装置において、シート片用ウェブは、ウェブテンション調整部を通過する。ウェブテンション調整部ではシート片用のウェブを複数の折返しローラー間を通過させる際、シートカット胴の送り量がシート片１単位に必要な長さだけ回転駆動させて送り、一旦停止してシート片用ウェブをシートカットする際に、少なくとも一個の折返しローラーが変位して、供給通路の長さを変化させることにより、シート片用ウェブの過張やたるみを吸収する。こうして、常に一定のテンションをもつシート片用ウェブがシートカット部に供給されるので、シート片はウェブから良好にシートカットされ、連続台紙への貼付けも良好に行われる。
【００２１】
又、連続台紙は、まず糊供給部の糊パターンローラーと接触する。糊パターンローラーにあらかじめ設けられた糊パターン（接着剤又は粘着剤塗布パターンを含む）により、シート片を重ねる位置の一部に少量の糊又は接着剤或いは粘着剤を塗布する。
【００２２】
この糊接着部にシートカットされたシート片が仮接着され、折重ね部、切断部、圧着部（熱圧着部）を通過する際に、シート片と連続台紙の位置は一定に保たれる。
【００２３】
更に、シート片が連続台紙に貼付された後、２つ折りされてシート片の上下を紙片で覆うことで秘密情報を隠蔽し、連続台紙を緊張させた状態でカッタでハガキ１単位に分離する。ハガキ１単位に分離された台紙が進行して熱圧着部に到り感熱接着剤で接着する。熱圧着後見開きハガキ積台にシート状に堆積される。
【００２４】
【実施例】
以下、この発明の詳細を一実施例を示す図面について説明する。図１及び図２において、１はシート片貼付け装置である。シート片貼付け装置１は台紙供給部２、糊供給部３、見開きハガキ積台４、シート片用ウェブ供給部５、ウェブテンション調整部６、シートカット部７、プレス部８及び台紙送りローラ１１を備えている。
【００２５】
台紙供給部２にはシート片貼付け装置１に供給されるべき連続台紙１２が折り畳まれた状態で置かれている。この連続台紙１２は後に隠蔽用のシート片が貼着されるべきものである。
【００２６】
糊供給部３は、糊用パン１３と糊用パン１３の中に一部分が侵漬されている糊供給ローラー１４と糊供給ローラー１４に接触している糊パターンローラー１５と糊パターンローラー１５に対向して配置されている押さえローラ１６とを備えている。糊パターンローラー１５と押さえローラ１６とは連続台紙１２の通路１７を挟んで対向して位置していて、連続台紙１２の通過に合わせて糊パターンローラ１５の糊を連続台紙１２の一部に転移させシート片仮接着用の接着部を形成する。
【００２７】
見開きハガキ積台４は、シート片貼付け装置１の後端部にあって、シート片を貼付けた貼り合わせ済み連続台紙１８が折り畳まれて、さらに切断部１０の図４に示すローラ群４１，４１′とカッター刃４２で切断され、圧着ロール３５で熱圧着されて見開きハガキ１９となったものを堆積させる。
【００２８】
シート片用ウェブ供給部５にはシート片貼付け装置１のフレーム上端から起立しているロール支持枠２１が設けられており、このロール支持枠２１にウェブロール２２の軸２３が回転可能に支持されている。このウェブロール２２は、連続台紙１２に貼付けるシート片として連続した隠蔽用シートが巻回されて形成されたものである。隠蔽用シートとしては前記のように単層型及び複層型のいずれかを選択して用いる。
【００２９】
ウェブテンション調整部６には複数の折返しローラー２４，２５，２６が配置されていて、これらの折返しローラー２４，２５，２６はウェブロール２２から繰り出されたシート片用ウェブ２７が通過する通路を形成し、折返しローラー２４，２５，２６は上下に交互に配置されていて、シートカット胴がシートカット及び定寸送りをすることに伴う回転駆動、停止を交互に繰り返すことで発生するテンションの変動をウェブの長さを変化させて吸収して一定に保つための通路を形成するためのもので、折返しローラー２４，２５，２６は、前記供給通路の折り返し点に位置している。
【００３０】
これらの折返しローラー２４，２５，２６のうち折返しローラー２５，２６は図３に示すようにアーム２８上に回転可能に支持されている。アーム２８は、回転軸３１に取り付けられており、この回転軸３１は一定のトルクが作用していてアーム２８及びこれに支持されている折返しローラー２５，２６を折り返し上下するシートの通路が長くなる方向に押圧している。
【００３１】
シートカット部７は、シートカット胴３２とシートカット胴に取付けられたカッターとサクションドラム３３を有し、供給されてきたシート片用ウェブ２７をサクションドラム３３が保持し、この保持された状態でカッターが動作してシート片用ウェブ２７を切断して、図９に示す個々のシート片３４を形成する。なお、シートカット胴はシート片の１単位分だけ回転駆動されて、いったん停止し、シートカットされた後、再び回転駆動される。
【００３２】
サクションドラム３３は、エアー吸引装置とエアー吐出装置を備えており、（図示せず）押さえローラー３９を通過するシート片用ウェブの先端を吸引して保持し、またカッターで切断されて台紙に貼付けられる前のシート片３４を引き続き吸引して保持したまま回転駆動される。更に、サクションドラム３３が回転駆動されて、保持していたシート片が連続台紙１２上のシート貼付け位置（定位置）に来たときにエアー吐出装置を動作させてエアーを吐出して保持していたシート片３４を連続台紙１２上に供給する。供給されたシート片３４は連続台紙１２上の接着剤により連続台紙上の定位置に仮接着され、シート片がずれることはない。
【００３３】
折重ね部９は、特に図示しないが、シート片貼り合わせ済台紙の中央部に折り用ガイドを、サイド部に折り曲げ用コロとガイドを配置して２つ折りする。折り重ねられたシート片貼り合わせ済台紙の折り目部分をローラーなどで更に押圧して折り目をつぶしておくことで見開きハガキの折曲げ部がより平滑となるので、部分的に圧着ロールを設けるのもよい。
【００３４】
折重ね部を過ぎ、連続状態で切断部１０へ進んだシート片貼合せ済連続台紙は切断部１０のローラー４１とローラー４１′の速度差を設けて、単位台紙間に設けたミシン目から前後に切断分離される。より切断を正確に行うにはカッター刃４２を用いるとよい。
【００３５】
圧着部８は、圧着ロール３５と受けロール３６が貼合わせ済み連続台紙１８の通路を挟んで対向して配置されている。圧着ロールは加熱されて用いられ、加熱温度は１１０〜１５０度程度が適当である。
【００３６】
このように構成されたシート片貼付け装置１におけるシート片３４の連続台紙１２に対する貼付け操作は次のようになされる。
【００３７】
連続台紙１２が、台紙供給部２から送りローラー１１に送られて通路１７を通って貼合わせ済み台紙受け部４に向かう。この間、連続台紙１２は糊供給部３において糊パターンローラー１５によって糊がシート片貼付け位置に少量塗布される（仮接着して見当ずれ防止）。一方、シート片３４を供給するシート片用ウェブ２７がシートウェブ供給部５のウェブロール２２から供給される。
【００３８】
シート片用ウェブ２７は、ウェブテンション調整部６を通過するときに、複数の折返しローラー２４，２５，２６で構成されるシート通し通路１７を通るが、この時、可動の折返しローラ２５，２６がアーム２８に駆動されて変位し、一定のテンションをシート片用ウェブ２７に送る。テンションが調整されたシート片用ウェブ２７はシートカット部７に達し、サクションドラム３３に吸着され、この状態でシートカット胴３２に設けられたカッターがシート片用ウェブ２７をシートカットし、シート片３４が分離される。シート片３４はサクションドラム３３に吸着保持されて回転し、連続台紙１２のシート片貼付け位置が直下に来たときに、エアー吐出によりシート片３４の吸着を解除し連続台紙１２上に載置する。
【００３９】
シート片３４を載置したシート片貼り合せ済み台紙１８は図示しない折り重ね部９で２つ折りされる。２つ折りされたシート片貼り合せ済み台紙１８は、続いて切断部１０でローラー４１とローラー４１′の間に引っぱられて切断されるか、又はカッター刃で切断される。更に進んで加熱プレス部８を通過する際に圧着ロール３５と受けロール３６から熱と圧力を受け、見開きハガキ単位になった形でシート片３４は連続台紙１２に貼着され、見開きハガキ１９として完成する。
【００４０】
この見開きハガキ１９は、最後にシート単位となって見開きハガキ積台４に堆積される。
【００４１】
【発明の効果】
このように、この発明のシート片貼付け装置においては、シート片用ウェブから分離されるシート片がシートカットされてもサクションドラムで保持されるのでシート片の位置が定位置からずれないこと並びにシートカット時の停止による間欠回転駆動を行っても、可動の折返しローラーによってフィルムの張力が一定に保持され、張力が安定している状態でシート片が切り出されるので、シート片の状態も安定しており、シート片の貼着時に必要な位置決め精度がよく、しかもシート片に傷やしわが発生することなく、切断不良が生じることなく、汚れが付着することもなく、又、非接着部への糊の付着による不具合な接着を生ずることのない、良好な接着を行うことができる。
【図面の簡単な説明】
【図１】シート片貼付け装置の正面説明図。
【図２】シート片貼付け装置の平面説明図。
【図３】フィルム定寸送り部の正面説明図。
【図４】貼合せ済連続台紙を示す平面説明図。
【図５】見開きハガキの斜視図。
【図６】見開きハガキの上面図。
【図７】見開きハガキの側面図。
【図８】開いた状態の見開きハガキの正面図。
【図９】シート片の正面図。
【図１０】他の見開きハガキの側面図。
【符号の説明】
１  シート片貼付け装置
２  台紙供給部
３  糊供給部
４  見開きハガキ積台
５  シート片用ウェブ供給部
６  シート片用ウェブ送りテンション調整部
７  シートカット部
８  プレス部
９  折重ね部
１０  切断部
１１  台紙送りローラー
１２  連続台紙
１３  糊用パン
１４  糊供給ローラー
１５  糊パターンローラー
１６  押えローラー
１７  通路
１８  貼合せ済み連続台紙
１９  見開きハガキ
２１  ロール支持枠
２２  ウェブロール
２３  軸
２４  折返しローラー
２５  折返しローラー（可動）
２６  折返しローラー（可動）
２７  シート片用ウェブ
２８  アーム
３１  回転軸
３２  シートカット胴
３３  サクションドラム
３４  シート片
３５  圧着ロール
３６  受けロール
３９  押えローラー
４１  ローラー群
４２  カッター刃
１０１  見開きハガキ
１０２  折り目
１０３  下紙片
１０４  上紙片
１０５  秘密情報記載欄
【図１】
0003657281.tif 000002
【図２】
0003657281.tif 000003
【図３】
0003657281.tif 000004
【図４】
0003657281.tif 000005
【図５】
0003657281.tif 000006
【図６】
0003657281.tif 000007
【図７】
0003657281.tif 000008
【図８】
0003657281.tif 000009
【図９】
0003657281.tif 000010
【図１０】
0003657281.tif 000011